(57)【特許請求の範囲】
【請求項１】
遊技機に収容可能で、遊技機にて使用される遊技球をクリーニングするクリーニングユニットであって、
軸を中心に回転することで軸方向へ遊技球を移送する螺旋体を外周部に有する移送ローラと、
前記移送ローラにより移送される遊技球に外周部にて当接し、軸を中心に回転することで遊技球をクリーニングするクリーニングローラと
を備え、
前記クリーニングローラの軸方向は、前記移送ローラの螺旋体の軸方向と略平行であり、
前記クリーニングローラのクリーニングする部分の軸方向の長さは、前記移送ローラの螺旋体の軸方向の長さと略同様であり、
それぞれ単位時間当たりの回転数が異なるように前記移送ローラ及びクリーニングローラが回転する
ことを特徴とするクリーニングユニット。
【請求項２】
請求項１に記載のクリーニングユニットであって、
前記移送ローラ及びクリーニングローラのうち単位時間当たりの回転数が小さい一方の回転数に対する他方の回転数の比の値は、整数ではない
ことを特徴とするクリーニングユニット。
【請求項３】
請求項１又は請求項２に記載のクリーニングユニットであって、
前記移送ローラ及びクリーニングローラをギア駆動する駆動部を備え、
前記移送ローラ及びクリーニングローラに対するギア比はそれぞれ異なる
ことを特徴とするクリーニングユニット。
【請求項４】
請求項１乃至請求項３のいずれか１項に記載のクリーニングユニットであって、
前記移送ローラの回転方向に沿って、前記移送ローラへ、移送すべき遊技球を供給する供給部を備え、
前記移送ローラ及びクリーニングローラは、それぞれ反対方向へ回転する
ことを特徴とするクリーニングユニット。
【請求項５】
請求項１乃至請求項４のいずれか１項に記載のクリーニングユニットであって、
前記移送ローラ及びクリーニングローラの少なくとも一方は、手動にて回転操作するための操作部を有する
ことを特徴とするクリーニングユニット。
【請求項６】
請求項１乃至請求項５のいずれか１項に記載のクリーニングユニットであって、
前記クリーニングローラは、
円筒状又は円柱状をなすローラ本体と、
前記ローラ本体の外周部に巻装された巻装体と
を備えることを特徴とするクリーニングユニット。
【請求項７】
請求項１乃至請求項６のいずれか１項に記載のクリーニングユニットと、
前記クリーニングユニットを収容する収容部と、
前記クリーニングユニットにてクリーニングされた遊技球を発射する発射部と、
前記発射部にて発射された遊技球を回収する回収部と
を備え、
前記回収部により回収された遊技球は、前記クリーニングユニットへ供給される
ことを特徴とする遊技機。
【発明の詳細な説明】
【技術分野】
【０００１】
本発明は、遊技機にて使用される遊技球をクリーニングするクリーニングユニット、及びそのようなクリーニングユニットを備えた遊技機に関する。
【背景技術】
【０００２】
遊技機にて使用される遊技球をクリーニング（研磨）する様々なクリーニング装置が実用化されている。また、遊技機内部に循環経路を形成して、遊技球を遊技機内部に封入し、封入した遊技球を遊技機の遊技領域に繰り返し発射することで遊技を行うようにした封入式遊技機が提案されている。
【０００３】
特許文献１には、封入式遊技機の内部における球循環経路の一部に配置され、循環する遊技球を研磨する球研磨装置が開示されている。特許文献１に開示された球研磨装置は、螺旋体が回転することにより遊技球を搬送すると共に、搬送されている遊技球に研磨布が接触することにより遊技球を研磨し、汚れを除去している。
【０００４】
研磨布により遊技球を研磨した場合、遊技球の汚れが研磨布に付着し、堆積するため、研磨布における遊技球の接触面が適宜新しい面となるように変更する必要が生じる。特許文献１では、研磨布を複数の送りローラ間に架け渡し、送りローラを回転させる研磨布送り機構を設け、研磨布送り機構の送りローラが回転して、遊技球の接触面を変更することにより、この問題に対応している。
【先行技術文献】
【特許文献】
【０００５】
【特許文献１】特開２０１２−１０５７９８号公報
【発明の概要】
【発明が解決しようとする課題】
【０００６】
しかしながら、特許文献１に提案されている球研磨装置では、研磨布送り機構が大きい、機構が複雑である等の問題が有り、これらの問題は全体としてのコストアップにも繋がる。
【０００７】
本発明は斯かる事情に鑑みてなされたものであり、遊技球を移送する移送ローラにより移送される遊技球に外周部にて当接し、軸を中心に回転することで遊技球をクリーニングするクリーニングローラを設け、遊技球が当接するクリーニングローラ上の軌道が、遊技球毎に異なるように設計したクリーニングユニットを開示する。これにより、クリーニングローラにおける遊技球の当接部位を変更していくことが可能であり、大型化等の問題の抑制も期待することができるクリーニングユニットの提供を主たる目的とする。
【０００８】
また、本発明は、本発明に係るクリーニングユニットを備えた遊技機の提供を他の目的とする。
【課題を解決するための手段】
【００１０】
上記課題を解決するため、本願記載のクリーニングユニットは、遊技機に収容可能で、遊技機にて使用される遊技球をクリーニングするクリーニングユニットであって、軸を中心に回転することで軸方向へ遊技球を移送する螺旋体を外周部に有する移送ローラと、前記移送ローラにより移送される遊技球に外周部にて当接し、軸を中心に回転することで遊技球をクリーニングするクリーニングローラとを備え、前記クリーニングローラの軸方向は、前記移送ローラの螺旋体の軸方向と略平行であり、前記クリーニングローラのクリーニングする部分の軸方向の長さは、前記移送ローラの螺旋体の軸方向の長さと略同様であり、それぞれ単位時間当たりの回転数が異なるように前記移送ローラ及びクリーニングローラが回転することを特徴とする。
【００１１】
また、クリーニングユニットは、前記移送ローラ及びクリーニングローラのうち単位時間当たりの回転数が小さい一方の回転数に対する他方の回転数の比の値は、整数ではないことを特徴とする。
【００１２】
また、クリーニングユニットは、前記移送ローラ及びクリーニングローラをギア駆動する駆動部を備え、前記移送ローラ及びクリーニングローラに対するギア比はそれぞれ異なることを特徴とする。
【００１３】
また、クリーニングユニットは、前記移送ローラの回転方向に沿って、前記移送ローラへ、移送すべき遊技球を供給する供給部を備え、前記移送ローラ及びクリーニングローラは、それぞれ反対方向へ回転することを特徴とする。
【００１４】
また、クリーニングユニットは、前記移送ローラ及びクリーニングローラの少なくとも一方は、手動にて回転操作するための操作部を有することを特徴とする。
【００１５】
また、クリーニングユニットは、前記クリーニングローラは、円筒状又は円柱状をなすローラ本体と、前記ローラ本体の外周部に巻装された巻装体とを備えることを特徴とする。
【００１６】
更に、本願記載の遊技機は、前記クリーニングユニットと、前記クリーニングユニットを収容する収容部と、前記クリーニングユニットにてクリーニングされた遊技球を発射する発射部と、前記発射部にて発射された遊技球を回収する回収部とを備え、前記回収部により回収された遊技球は、前記クリーニングユニットへ供給されることを特徴とする。
【００１７】
本願記載のクリーニングユニット及び遊技機は、クリーニングローラにおける遊技球の当接部位を変更していくことが可能である。
【発明の効果】
【００１８】
本発明は、移送ローラと、移送ローラにより移送される遊技球に外周部にて当接し、軸を中心に回転することで遊技球をクリーニングするクリーニングローラとを備え、遊技球が当接するクリーニングローラ上の起動を遊技球毎に変更する。これにより、本発明は、クリーニングローラにおける遊技球の当接部位を変更していくことが可能である等の優れた効果を奏する。また、クリーニングユニットの大型化、複雑化等の問題を抑制するように設計した場合には、全体としてのコストアップを抑制することにも繋がる等、優れた効果を奏する。
【図面の簡単な説明】
【００１９】
【図１Ａ】本発明のクリーニングユニットを収容した遊技機の内部構造の一例を示す概略図である。
【図１Ｂ】本発明のクリーニングユニットを収容した遊技機の内部構造の一例を示す概略図である。
【図２】本発明のクリーニングユニットを収容した遊技機の内部構造の一例を示す概略図である。
【図３Ａ】本発明に係るクリーニングユニットの外観を概略的に示す概略外観図である。
【図３Ｂ】本発明に係るクリーニングユニットの外観を概略的に示す概略外観図である。
【図３Ｃ】本発明に係るクリーニングユニットの外観を概略的に示す概略外観図である。
【図４Ａ】本発明に係るクリーニングユニットの外観を概略的に示す概略外観図である。
【図４Ｂ】本発明に係るクリーニングユニットの外観を概略的に示す概略外観図である。
【図５Ａ】本発明に係るクリーニングユニットの外観を概略的に示す概略外観図である。
【図５Ｂ】本発明に係るクリーニングユニットの外観を概略的に示す概略外観図である。
【図６】本発明に係るクリーニングユニットの外観を概略的に示す概略外観図である。
【図７】本発明に係るクリーニングユニットの内部構造を概略的に示す概略構造図である。
【図８Ａ】本発明に係るクリーニングユニットの内部構造を概略的に示す概略構造図である。
【図８Ｂ】本発明に係るクリーニングユニットの内部構造を概略的に示す概略構造図である。
【図９】本発明に係るクリーニングユニットが備えるクリーニングローラに用いられる巻装体の外観を概略的に示す概略外観図である。
【図１０Ａ】本発明に係るクリーニングユニットが備えるクリーニングローラに用いられる巻装体及び遊技球の軌道を概略的に示す模式図である。
【図１０Ｂ】本発明に係るクリーニングユニットが備えるクリーニングローラに用いられる巻装体及び遊技球の軌道を概略的に示す模式図である。
【図１０Ｃ】本発明に係るクリーニングユニットが備えるクリーニングローラに用いられる巻装体及び遊技球の軌道を概略的に示す模式図である。
【発明を実施するための形態】
【００２０】
以下、本発明の実施形態について図面を参照しながら説明する。なお、以下の実施形態は、本発明を具現化した一例であって、本発明の技術的範囲を限定する性格のものではない。
【００２１】
＜遊技機全体＞
図１Ａ及び図１Ｂ、並びに図２は、本発明のクリーニングユニットを収容した遊技機の内部構造の一例を示す概略図である。図１Ａ及び図１Ｂ、並びに図２は、パチンコ台として用いられる封入式遊技機に適用した遊技機１を示している。図１Ａは遊技領域１１を有する前方から視た正面図であり、図１Ｂは、後方から視た背面図である。そして、図２は、遊技面側を斜め上方から視た斜視図である。図１Ａ及び図１Ｂ、並びに図２は、遊技機１の外側の筐体を外し、内部の構成の概略が視認できるように示している。また、図２は、遊技機１の内部の前面下部に設けられた前扉１０を開いた状態で示している。
【００２２】
遊技機１の前面は上部２／３程度が遊技領域１１となっており、パチンコ玉等の遊技球を遊技領域１１へ発射することにより遊技が行われる。遊技領域１１には、遊技球の進路を変更させる多数の釘が打設されており、更に、画像の表示、羽根部材の動作等の演出を行う演出部１２が配設されている。また、遊技領域１１には、「セーフ球」として遊技球を回収する入賞口１３及び「アウト球」として遊技球を回収するアウト口１４が開設されている。
【００２３】
入賞口１３及びアウト口１４から回収された遊技球は、回収部２にて回収され、回収部２に回収された遊技球は、遊技球を研磨によりクリーニングするクリーニングユニット３へ供給される。クリーニングユニット３は、遊技球をクリーニングし、クリーニングした遊技球を発射部４へ供給する。
【００２４】
回収部２は、裏面に配設されており、セーフ球返却通路２０、アウト球返却通路２１、球循環通路２２等の遊技球の通路となる構成を備えている。そして、入賞口１３から回収された遊技球は、セーフ球返却通路２０から球循環通路２２を通ってクリーニングユニット３へ送られる。また、アウト口１４から回収された遊技球は、アウト球返却通路２１から球循環通路２２でセーフ球と合流し、クリーニングユニット３へ送られる。
【００２５】
クリーニングユニット３は、遊技機１内において、遊技領域１１の下方に設けられた収容部１５に、着脱可能に収容されている。クリーニングユニット３は、回収部２から供給される遊技球を下部から取り込み、取り込んだ遊技球をクリーニングしながら上方へ移送し、上部から遊技球を排出する。クリーニングユニット３から排出された遊技球は、前扉１０の前面に設けられた発射球供給通路１６を通って発射部４へ送られる。
【００２６】
発射部４は、遊技機１の前面に配設されており、遊技者の操作をハンドルにて受け付け、受け付けた操作に基づいて、遊技球を遊技領域１１へ発射する。
【００２７】
このように、封入式遊技機である遊技機１では、機内で遊技球が循環するため、遊技中に遊技球が外部へ排出されることがない。このため、例えば、数十発等の少量の遊技球で遊技をすることができるので経済的であり、また、不正な遊技を抑制することができる等の効果が期待される。
【００２８】
＜クリーニングユニット＞
図３Ａ、図３Ｂ及び図３Ｃ、並びに図４Ａ及び図４Ｂは、本発明に係るクリーニングユニット３の外観を概略的に示す概略外観図である。図３Ａは正面図、図３Ｂは背面図、図３Ｃは平面図、図４Ａは前方右上側からの視点で示した概略斜視図、そして図４Ｂは後方右上側からの視点で示した概略斜視図である。また、図５Ａ及び図５Ｂ、並びに図６は、本発明に係るクリーニングユニット３の外観を概略的に示す概略外観図である。図５Ａは正面図、図５Ｂは平面図、そして図６は前方右上からの視点で示した概略斜視図である。図５Ａ及び図５Ｂ並びに図６は、クリーニングユニット３が備える筐体３０に設けられた蓋部３００を開けた状態を示している。図７、並びに図８Ａ及び図８Ｂは、本発明に係るクリーニングユニット３の内部構造を概略的に示す概略構造図である。図７は正面図、図８Ａは前方右下側からの視点で示した概略斜視図、そして図８Ｂは前方右上側からの視点で示した概略斜視図である。図７並びに図８Ａ及び図８Ｂは、筐体３０の一部を構成する前方の部材を外し、内部構造が視認できるようにしたものである。これらの図を参照し、遊技機１に収容されたクリーニングユニット３について更に詳述する。
【００２９】
クリーニングユニット３は、遊技球を移送する移送ローラ３１と、移送ローラ３１により移送される遊技球を研磨によりクリーニングするクリーニングローラ３２と、移送ローラ３１及びクリーニングローラ３２をギア駆動する駆動部３３とを備えている。移送ローラ３１、クリーニングローラ３２及び駆動部３３は、筐体３０内に収容されており、筐体３０ごとクリーニングユニット３として収容部１５に収容される。収容部１５に収容されたクリーニングユニット３は、収容部１５に対して着脱可能であり、作業者は、必要に応じて収容部１５からクリーニングユニット３を取り出し、クリーニングユニット３自体、又はクリーニングユニット３が備える各種部材の修理、交換等の補修作業を行うことができる。特に、クリーニングローラ３２は消耗品であるため、筐体３０にはクリーニングローラ３２を交換するために開閉可能な蓋部３００が設けられている。
【００３０】
移送ローラ３１は、長手方向が８０ｍｍ程度の棒状をなし、中心軸が回転軸となる軸体３１０と、軸体３１０の外周部に螺旋状に形成された螺旋体３１１とを備えている。螺旋体３１１は、外周側を薄く回転軸側を厚く形成した平板状の羽が所定のピッチで螺旋を描くように形成されており、螺旋に係るピッチは、遊技球の直径より若干大きく一つの遊技球が抵抗なく通れる程度の間隔となっている。また、筐体３０において、移送ローラ３１とクリーニングローラ３２との間には、螺旋体３１１の回転により移送される遊技球の移送路として、軸方向が移送ローラ３１と平行で一部が破断した筒状をなす球通路３０３が形成されている。球通路３０３の内径は、遊技球の直径より若干大きく一つの遊技球が抵抗なく通れる程度の大きさとなっている。このため、遊技球は、球通路３０３を通って、クリーニングローラ３２の外周部に当接した状態を維持しながら移送される。そして、移送ローラ３１は、回転軸となる軸体３１０を中心に回転することで、遊技球を軸方向へ移送するスクリューコンベアとして機能する。
【００３１】
クリーニングローラ３２は、円柱状又は中空の円筒状をなし、中心軸が回転軸となるローラ本体３２０と、ローラ本体３２０の外周部に巻装された巻装体３２１とを備えている。クリーニングローラ３２の長手方向及び周方向の外形は移送ローラ３１と同程度の長さとなるように形成されている。巻装体３２１は、遊技球を研磨によりクリーニングするための不織布、樹脂シート、シリコンゴム等の弾性を有する布状体にて形成されており、ローラ本体３２０から取り外し、交換することが可能である。また、クリーニングローラ３２自体もクリーニングユニット３から取り外し、交換することが可能である。クリーニングローラ３２は、移送ローラ３１により移送される遊技球に外周部となる巻装体３２１にて当接し、回転軸となるローラ本体３２０を中心に回転することで遊技球をクリーニングする。なお、クリーニングローラ３２は、分離可能なローラ本体３２０及び巻装体３２１にて形成するのではなく、一体型として形成することも可能であり、その場合、例えば、シリコンゴム製のローラとして形成するようにしても良く、更には金属、樹脂等の材質の起毛を有する回転ブラシとして形成する等、様々な形態に形成することが可能である。
【００３２】
移送ローラ３１及びクリーニングローラ３２は、軸方向が平行となるように配設されており、それぞれ反対方向へ回転するように、駆動モータ３３０を用いた駆動部３３にて駆動される。ここでは移送ローラ３１及びクリーニングローラ３２の軸方向が鉛直方向となるように配設された形態を示しているが、軸方向が水平方向であっても、水平に対して斜め方向であっても良い。
【００３３】
筐体３０の下部後面には、回収部２から供給される遊技球を取り込む球取込口３０１が開設されており、上面には遊技球を排出する球排出口３０２が開設されている。球取込口３０１から筐体３０内に取り込まれた遊技球は、それぞれ反対方向に回転する移送ローラ３１及びクリーニングローラ３２の狭間へ、移送ローラ３１及びクリーニングローラ３２の回転により挟み込まれるようにして取り込まれる。移送ローラ３１及びクリーニングローラ３２に取り込まれた遊技球は、クリーニングローラ３２によりクリーニングされながら、移送ローラ３１により上方へ移送される。そして、遊技球は、移送ローラ３１の上端に近接する球排出口３０２から筐体３０外へ排出され、発射部４へ供給される。移送ローラ３１及びクリーニングローラ３２は、球取込口３０１から筐体３０内に取り込まれる遊技球を挟み込むように回転しているため、遊技球を効率的に取り込むことができる。
【００３４】
駆動部３３は、図示しない電源から受電して回転動作する駆動モータ３３０と、駆動モータ３３０の軸芯に軸支され、駆動モータ３３０の回転動作に伴い回転する平歯車を用いたモータギア３３１とを備えている。モータギア３３１は、移送ローラ３１の軸体３１０と回転軸を一にする平歯車を用いた第１移送ギア３１２と歯合しており、モータギア３３１の回転に伴い第１移送ギア３１２が回転し、第１移送ギア３１２と共に移送ローラ３１が回転する。また、移送ローラ３１の軸体３１０の回転軸には、第１移送ギア３１２とは別に、平歯車を用いた第２移送ギア３１３が軸支されており、移送ローラ３１の回転に伴い第２移送ギア３１３が回転する。更に、第２移送ギア３１３は、クリーニングローラ３２のローラ本体３２０と回転軸を一にする平歯車を用いたクリーニングギア３２２と歯合しており、第２移送ギア３１３の回転に伴いクリーニングギア３２２が回転し、クリーニングギア３２２と共にクリーニングローラ３２が回転する。即ち、駆動モータ３３０が回転することにより、４枚のギアにて連動する移送ローラ３１及びクリーニングローラ３２が回転する。移送ローラ３１及びクリーニングローラ３２を一の駆動モータ３３０にて回転駆動することにより、例えば、複数のモータを必要とする特許文献１に開示された球研磨装置と比べて、大型化、複雑化、コストアップ等の問題点の発生を抑制することが可能となる。
【００３５】
更に、クリーニングローラ３２の回転軸には、円板状をなす操作部３２３が軸支されており、操作者は操作部３２３を回転操作することにより、手動にてクリーニングローラ３２を回転させることが可能である。なお、必要に応じて移送ローラ３１を回転操作する操作部を設けるようにしても良い。
【００３６】
モータギア３３１、第１移送ギア３１２、第２移送ギア３１３、クリーニングギア３２２の歯数は、２３、２３、１７、２８となっている。従って、移送ローラ３１とクリーニングローラ３２とのギア比（減速比）は、１７：２８となる。ギア比の値が１ではないため、移送ローラ３１とクリーニングローラ３２との単位時間当たりの回転数（ｒｐｍ）は異なっており、連続して遊技球を研磨する場合、それぞれの遊技球が当接するクリーニングローラ３２上の軌道が異なることになる。即ち、第１の遊技球が当接するクリーニングローラ３２上の軌道と、第１の遊技球の次に移送する第２の遊技球の軌道とが異なるように、クリーニングローラ３２及び移送ローラ３１が回転する。
【００３７】
図９は、本発明に係るクリーニングユニット３が備えるクリーニングローラ３２に用いられる巻装体３２１の外観を概略的に示す概略外観図である。巻装体３２１は、不織布等の研磨布にて形成されており、広げると図９に示すように長方形状をなしている。図９に例示する広げられた巻装体３２１は、長辺８０ｍｍ×短辺５４．７ｍｍの大きさであり、長辺が軸方向となるようにして、直径１７．４ｍｍφのローラ本体３２０に巻回することでクリーニングローラ３２を形成する。
【００３８】
図１０Ａ、図１０Ｂ及び図１０Ｃは、本発明に係るクリーニングユニット３が備えるクリーニングローラ３２に用いられる巻装体３２１及び遊技球の軌道を概略的に示す模式図である。図１０Ａ乃至図１０Ｃは、移送ローラ３１により移送されながらクリーニングローラ３２に当接する遊技球が、クリーニングローラ３２に巻回された巻装体３２１の表面上に当接する位置の軌道を、広げた状態の巻装体３２１に重畳して示した模式図である。
【００３９】
図１０Ａは、移送ローラ３１とクリーニングローラ３２とのギア比が１であり、単位時間当たりの回転数が一致する場合の軌道を例示している。ギア比が１である場合、連続して移送される遊技球は毎回同じ軌道を辿る。図１０Ｂは、移送ローラ３１とクリーニングローラ３２とのギア比が１：３＝１／３となり、３６０°×１／３＝１２０°の位相差を生じる場合の軌道を例示している。ギア比が１／３である場合、１球目の遊技球が辿る軌道と、次に移送される２球目の遊技球が辿る軌道とは異なるが、１球目の遊技球が辿る軌道と４球目の遊技球が辿る軌道とは一致することになる。即ち、３本の軌道が描かれることになる。ギア比を３：１＝３とした場合も同様である。図１０ｃは、移送ローラ３１とクリーニングローラ３２とのギア比が１７：２８＝１７／２８となり、３６０°×（１７／２８）＝２１８．５７…°の位相差を生じる場合の軌道を例示しており、より多くの軌道が描かれている。なお、実際には、巻装体３２１上の軌道は、軸方向の長さ、螺旋体３１１の螺旋のピッチ等の他の要因をも含めて決定されるため、ギア比が１であっても図１０Ａに示すように巻装体３２１上で一本の軌道となる訳ではない。ここでは、理解を容易にするため図１０Ａに示すようにギア比が１の場合に軌道が１本となる例を示し、図１０Ａを基準としてギア比に応じて軌道が異なる例を図１０Ｂ及び図１０Ｃに示した。
【００４０】
このように遊技球の軌道が毎回異なるように移送ローラ３１及びクリーニングローラ３２の回転数を調整することにより、遊技球の当接部位を変更することができるため、巻装体３２１上に付着し、堆積する遊技球の汚れが局在化することを防止し、消耗品である巻装体３２１を効率的に使用することが可能となる。従って、移送ローラ３１及びクリーニングローラ３２のうち単位時間当たりの回転数が小さい一方の回転数に対する他方の回転数の比の値は、１ではないようにすることが好ましく、また整数ではないようにすることがより好ましく、そして回転数の整数比が互いに素となるようなギアを用いることが更に好ましい。ギアの歯数は整数であるため、数学上は、それぞれの歯数の最小公倍数の周期で同じ軌道を通ることになる。この最小公倍数が大きいほど周期が長くなり、巻装体３２１上の同じ箇所に汚れが堆積することを防止することが可能となる。
【００４１】
また、移送ローラ３１及びクリーニングローラ３２の回転速度が異なるようにすることで、移送される遊技球に対し、移送ローラ３１における周方向の回転が生じ易くなるため、遊技球の全体を効率的にクリーニングすることが可能となる。
【００４２】
以上詳述した形態で実施した場合の本発明に係るクリーニングユニット３は、遊技球が当接するクリーニングローラ３２上の当接部位を変更していくことができるので、巻装体３２１を効率的に使用することが可能となる。しかも、一つの駆動モータ３３０で移送ローラ３１及びクリーニングローラ３２をギア駆動するように実施した場合、クリーニングユニット３の大型化及び複雑化を防止することが可能である。
【００４３】
本発明は、以上説明した実施形態に限定されるものではなく、他のいろいろな形態で実施することが可能である。そのため、上述した実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形や変更は、全て本発明の範囲内のものである。
【００４４】
例えば、前記実施形態では、移送ローラ３１とクリーニングローラ３２との回転方向が反対方向となる形態を示したが、本発明はこれに限らず、回転方向が同方向となるようにする等、様々な形態に展開することが可能である。
【００４５】
また、前記実施形態では、一つの駆動モータ３３０で移送ローラ３１及びクリーニングローラ３２をギア駆動する形態を示したが、本発明はこれに限らず、それぞれ異なる駆動モータ３３０で駆動するようにする等、様々な形態に展開することが可能である。
【００４６】
更に、前記実施形態では、移送ローラ３１及びクリーニングローラ３２が、それぞれ円柱状又は円筒状をなす形態を示したが、本発明はこれに限らず、円錐状のローラを用いる等、様々な形態に展開することが可能である。
【００４７】
また、本願に開示したクリーニングユニットは、遊技機に係る遊技球を回収する回収装置、遊技球を計数する計数装置、遊技球を搬送する搬送路等の他の装置へも転用することが可能である。
【符号の説明】
【００４８】
１        遊技機
１５      収容部
２        回収部
３        クリーニングユニット
３０１    球取込口
３０２    球排出口
３１      移送ローラ
３１０    軸体
３１１    螺旋体
３１２    第１移送ギア
３１３    第２移送ギア
３２      クリーニングローラ
３２０    ローラ本体
３２１    巻装体
３２２    クリーニングギア
３２３    操作部
３３      駆動部
３３１    モータギア
４        発射部
【図１Ａ】
0006561650.tif 000002
【図１Ｂ】
0006561650.tif 000003
【図２】
0006561650.tif 000004
【図３Ａ】
0006561650.tif 000005
【図３Ｂ】
0006561650.tif 000006
【図３Ｃ】
0006561650.tif 000007
【図４Ａ】
0006561650.tif 000008
【図４Ｂ】
0006561650.tif 000009
【図５Ａ】
0006561650.tif 000010
【図５Ｂ】
0006561650.tif 000011
【図６】
0006561650.tif 000012
【図７】
0006561650.tif 000013
【図８Ａ】
0006561650.tif 000014
【図８Ｂ】
0006561650.tif 000015
【図９】
0006561650.tif 000016
【図１０Ａ】
0006561650.tif 000017
【図１０Ｂ】
0006561650.tif 000018
【図１０Ｃ】
0006561650.tif 000019